(57)【要約】【課題】被照明体にライン状の光を照射する光源ユニットの小型化を図ることを目的とする。【解決手段】原稿Ｐにライン状の光を照射する光源ユニット２０であって、光を発する光源３１、３２と、棒状に形成され光源３１、３２からの光を原稿Ｐへと導く導光体２５と、光源３１、３２および導光体２５を収容するフレーム２１と、導光体２５から原稿Ｐへ照射される光を透過させ、フレーム２１を原稿Ｐ側から覆うカバー部材４１と、を有し、カバー部材４１の導光体２５側の面に光源３１、３２を導通させるための導通部４２を設けたことを特徴とする。【選択図】図１
2015171033.tif 000002
【特許請求の範囲】
【請求項１】
被照明体にライン状の光を照射する照明装置であって、
光を発する光源と、
棒状に形成され前記光源からの光を被照明体へと導く導光体と、
前記光源および前記導光体を収容する筐体と、
前記導光体から前記被照明体へ照射される光を透過させ、前記筐体を前記被照明体側から覆うカバー部材と、を有し、
前記カバー部材の前記導光体側の面に前記光源を導通させる導通部を設けたことを特徴とする照明装置。
【請求項２】
前記導通部は、前記導光体の長手方向に沿ったスリットが形成され、
前記導光体からの光が前記スリットを通して前記被照明体に照射されることを特徴とする請求項１に記載の照明装置。
【請求項３】
前記導通部は、光を透過しないように形成されていることを特徴とする請求項１または２に記載の照明装置。
【請求項４】
前記導通部は、光を吸収するように形成されていることを特徴とする請求項３に記載の照明装置。
【請求項５】
前記光源は、発光素子と、前記発光素子を支持する支持体と、前記支持体から突出されるリード端子とを有し、
前記カバー部材は、前記発光素子に電力を供給するためのケーブルが接続されるコネクタを有し、
前記導通部は、前記コネクタから前記リード端子までを導通させることを特徴とする請求項１ないし４の何れか１項に記載の照明装置。
【請求項６】
透過読み取り用の光を前記被照明体へ照射し、前記被照明体を挟んで配置されたイメージセンサユニットのイメージセンサに前記被照明体を透過した光を結像させることを特徴とする請求項１ないし５の何れか１項に記載の照明装置。
【請求項７】
前記被照明体としての紙葉類の識別を行う紙葉類識別装置であって、
請求項１ないし６の何れか１項に記載の照明装置と、
前記照明装置により前記紙葉類を照射して透過した光を結像する集光体と、前記集光体によって結像された光を電気信号に変換するイメージセンサと、を備えるイメージセンサユニットと、
前記紙葉類を搬送する搬送手段と、
前記紙葉類を識別する基準となる基準データを記憶する記憶手段と、
前記電気信号に変換された画像データと、前記記憶手段に記憶されている前記基準データとを比較して前記紙葉類の真贋を判定する比較手段と、を有することを特徴とする紙葉類識別装置。
【発明の詳細な説明】
【技術分野】
【０００１】
本発明は、被照明体にライン状の光を照射する照明装置および紙葉類識別装置に関する。
【背景技術】
【０００２】
被照明体に対してライン状の光を照射する照明装置が知られている。特許文献１に開示されたライン照明装置は、導光体の両端に発光ユニットが配置され、発光ユニットのパッケージの側面から突出されたリード端子が回路基板に嵌合されることにより電気的に接続されている。
【先行技術文献】
【特許文献】
【０００３】
【特許文献１】特開２００７−２９９７７５号公報
【発明の概要】
【発明が解決しようとする課題】
【０００４】
上述した特許文献１に開示されたライン照明装置は、発光ユニットを電気的に接続させるために回路基板を用いている。したがって、回路基板を配置するスペースが必要になるために照明装置が大型化してしまうという問題がある。
【０００５】
本発明は、上述したような問題点に鑑みてなされたものであり、被照明体にライン状の光を照射する照明装置の小型化を図ることを目的とする。
【課題を解決するための手段】
【０００６】
本発明の照明装置は、被照明体にライン状の光を照射する照明装置であって、光を発する光源と、棒状に形成され前記光源からの光を被照明体へと導く導光体と、前記光源および前記導光体を収容する筐体と、前記導光体から前記被照明体へ照射される光を透過させ、前記筐体を前記被照明体側から覆うカバー部材と、を有し、前記カバー部材の前記導光体側の面に前記光源を導通させる導通部を設けたことを特徴とする。
本発明の紙葉類識別装置は、前記被照明体としての紙葉類の識別を行う紙葉類識別装置であって、上述した照明装置と、前記照明装置により前記紙葉類を照射して透過した光を結像する集光体と、前記集光体によって結像された光を電気信号に変換するイメージセンサと、を備えるイメージセンサユニットと、前記紙葉類を搬送する搬送手段と、前記紙葉類を識別する基準となる基準データを記憶する記憶手段と、前記電気信号に変換された画像データと、前記記憶手段に記憶されている前記基準データとを比較して前記紙葉類の真贋を判定する比較手段と、を有することを特徴とする。
【発明の効果】
【０００７】
本発明によれば、被照明体にライン状の光を照射する照明装置の小型化を図ることができる。
【図面の簡単な説明】
【０００８】
【図１】図１は、カバー部材４１の下面の構成を示す斜視図である。
【図２】図２は、紙葉類識別装置１００の構成を示す断面図である。
【図３】図３は、光源ユニット２０の分解斜視図である。
【図４】図４は、第２の光源３２側から見た光源ユニット２０の断面図である。
【図５】図５は、第１の光源３１側から見た光源ユニット２０の断面図である。
【発明を実施するための形態】
【０００９】
以下、本発明を適用できる実施形態について、図面を参照して詳細に説明する。本実施形態は、照明装置と、この照明装置が適用される紙葉類識別装置１００である。以下の説明においては、三次元の各方向を、Ｘ，Ｙ，Ｚの各矢印で示す。Ｘ方向が主走査方向であり、Ｙ方向が主走査方向に直角な副走査方向であり、Ｚ方向が垂直方向（上下方向）である。
【００１０】
本実施形態では、照明装置としての光源ユニット２０と、この光源ユニット２０が適用される紙葉類識別装置１００について説明する。紙葉類識別装置１００は、紙幣、有価証券などの紙葉類の真贋を判定するものである。光源ユニット２０は、紙葉類としての原稿Ｐ（被照明体）に透過読み取り用の光を照射するものである。
【００１１】
図２は、紙葉類識別装置１００の構成の一例を示す断面図である。紙葉類識別装置１００は紙葉類読取部１０を備えている。紙葉類読取部１０の所定部には、原稿Ｐの副走査方向に沿って、対をなして原稿Ｐを挟みながら搬送するための搬送手段としての搬送ローラ１０１ａ、１０１ｂと搬送ローラ１０２ａ、１０２ｂとが間隔をあけて配置される。搬送ローラ１０１ａ、１０１ｂおよび搬送ローラ１０２ａ、１０２ｂは、駆動機構により回転駆動されるようになっており、原稿Ｐは所定の搬送速度で搬送方向（図２に示す矢印Ｆ方向）に搬送される。
【００１２】
紙葉類読取部１０は、搬送ローラ１０１ａ、１０１ｂと搬送ローラ１０２ａ、１０２ｂとの間にて原稿Ｐの搬送路上に配置され、搬送される原稿Ｐの画像を読み取る。本実施形態の紙葉類読取部１０は、搬送路すなわち原稿Ｐを挟んで下側に配置された光源ユニット２０と上側に配置されたイメージセンサユニット６０とを備えている。
【００１３】
光源ユニット２０は、原稿Ｐに対して透過読み取り用の光を下方向から照射する。
イメージセンサユニット６０は、原稿Ｐに対して反射読み取り用の光を上方向から照射すると共に原稿Ｐからの反射光および光源ユニット２０から原稿Ｐに照射され原稿Ｐを透過した透過光を読み取る。
【００１４】
比較部１０３は、比較手段の一例であって、イメージセンサユニット６０により読み取られた画像データを取得する。また、比較部１０３は記憶部１０４に記憶されている基準データを読み出し、取得した画像データと比較して原稿Ｐの真贋を判定する。
記憶部１０４は、記憶手段の一例であって、原稿Ｐを識別する基準となる基準データを記憶している。
【００１５】
次に、光源ユニット２０およびイメージセンサユニット６０の基本動作について説明する。
まず、搬送ローラ１０１ａ、１０１ｂおよび搬送ローラ１０２ａ，１０２ｂは所定の搬送速度で搬送方向に原稿Ｐを搬送する。イメージセンサユニット６０は、フレーム６１内に配置された図示しない光源を発光させることにより集光体６２を挟んで配置された導光体６３から原稿Ｐの上面に対して矢印Ｌ１に示す反射読み取り用の光を照射する。したがって、原稿Ｐには読取ラインＳ（主走査方向）に亘ってライン状に光が照射される。この光は原稿Ｐによって反射されることで、集光体６２を介して反射光がイメージセンサ６４上に結像される。イメージセンサ６４は結像された反射光を電気信号に変換することで、原稿Ｐの上面の画像を読み取ることができる。
【００１６】
続いて、光源ユニット２０のフレーム２１内に配置された後述する第１の光源３１、第２の光源３２を発光させることにより導光体２５から原稿Ｐの下面に対して矢印Ｌ２に示す透過読み取り用の光を照射する。したがって、原稿Ｐには読取ラインＳ（主走査方向）に亘ってライン状に光が照射される。この光は原稿Ｐを透過することで、イメージセンサユニット６０の集光体６２を介して透過光がイメージセンサ６４上に結像される。イメージセンサ６４は、結像された透過光を電気信号に変換することで、原稿Ｐの下方向から照射して原稿Ｐを透過した画像を読み取ることができる。
【００１７】
このようにしてイメージセンサ６４が反射光および透過光を１走査ライン分読み取ることで、原稿Ｐの主走査方向における１走査ラインの読み取り動作を完了する。１走査ラインの読み取り動作終了後、原稿Ｐの副走査方向への移動に伴い、上述する動作と同様に次の１走査ライン分の読み取り動作が行われる。このように原稿Ｐを副走査方向に搬送しながら１走査ライン分ずつ読み取り動作を繰り返すことで、原稿Ｐの全面が順次走査されて反射光および透過光により画像の読み取りが行われる。
【００１８】
次に、本実施形態に係る光源ユニット２０の構成について図３〜図５を参照して説明する。図３は、光源ユニット２０の構成部材を示す分解斜視図である。図４は、第２の光源３２側から見た光源ユニット２０の断面図である。図５は、第２の光源３１側から見た光源ユニット２０の断面図である。
【００１９】
光源ユニット２０は全体として略直方体の外観を呈し、長手方向が主走査方向である。
図３に示すように、光源ユニット２０は、フレーム２１、導光体２５、第１の光源３１、第２の光源３２、カバー部材４１、コネクタ５１を備えている。上述した構成部材のうち、フレーム２１、導光体２５およびカバー部材４１は、読み取る原稿Ｐの主走査方向の寸法に応じた長さに形成されている。
【００２０】
フレーム２１は、光源ユニット２０の筐体であり、導光体２５、第１の光源３１、第２の光源３２を収容する。本実施形態のフレーム２１は、主走査方向を長手方向とする略直方体であって、上下が開口して形成されている。なお、図示は省略するが、フレーム２１の内部には導光体２５、第１の光源３１および第２の光源３２を位置決めして保持できるように形成されている。フレーム２１を構成する４つの側面のうち長手方向に沿った一つの側面には、コネクタ５１を嵌め込む切欠部２２が形成されている。
【００２１】
導光体２５は、第１の光源３１および第２の光源３２が発光する光を原稿Ｐへと導くものであり、主走査方向を長手方向とする棒状に形成されている。導光体２５は、アクリルやポリカーボネートなどの透明樹脂により形成される。導光体２５は、フレーム２１の長手方向と平行になるようにフレーム２１内で保持される。
【００２２】
導光体２５は、主走査方向における両端面のうち一端面が第１の光源３１からの光を入射させる第１の入射面２６であり、他端面が第２の光源３２からの光を入射させる第２の入射面２７である。また、導光体２５は、原稿Ｐと対面する面に導光体２５内に入射した光を原稿Ｐに向かって出射させる光出射面２８が形成される。また、導光体２５は、光出射面２８と対向する面に、第１の入射面２６および第２の入射面２７から入射した光を反射および拡散させる拡散面２９が形成される。拡散面２９には、例えばシルク印刷などによる光反射性の塗料からなる光拡散パターンが形成されている。第１の入射面２６および第２の入射面２７から入射した光は光拡散パターンによって拡散されることで、光出射面２８から出射され原稿Ｐに照射される。光出射面２８および拡散面２９以外の面は、それぞれ入射された光を反射させる反射面として機能する。
【００２３】
第１の光源３１および第２の光源３２は、原稿Ｐに透過読み取り用の光を照射するための光源である。第１の光源３１および第２の光源３２は、外形および構造が略同様のＬＥＤモジュール３３が用いられる。具体的には、図４および図５に示すように、第１の光源３１のＬＥＤモジュール３３と第２の光源３２のＬＥＤモジュール３３とは、幅方向（図４、図５に示すＷｓ）における中心線に対して線対称の構成である。
【００２４】
ＬＥＤモジュール３３は、略矩形状に形成された支持体３４と、支持体３４から突出する複数のリード端子３７とを備えている。支持体３４は平坦状の発光面３５が形成され、発光面３５には発光素子としてのＬＥＤチップ３６を透明樹脂によって封止した状態で支持している。
図４および図５に示すように、本実施形態のＬＥＤモジュール３３はＬＥＤチップとして、赤、緑、青、赤外の発光波長を有するＬＥＤチップ３６ｒ、３６ｇ、３６ｂ、３６ｉｒを用いている。赤外の発光波長を有するＬＥＤチップ３６ｉｒを用いるのは、原稿Ｐにセキュリティのために不可視インクが施されているものがあり、このような原稿Ｐを読み取るためである。
また、本実施形態のＬＥＤモジュール３３はリード端子として、コモン端子３７ａと、独立端子３７ｂ〜３７ｅとを有している。コモン端子３７ａは、支持体３４内でＬＥＤチップ３６ｒ、３６ｇ、３６ｂ、３６ｉｒ全てに対して電気的に接続される。独立端子３７ｂ〜３７ｅは、支持体３４内でそれぞれＬＥＤチップ３６ｒ、３６ｇ、３６ｂ、３６ｉｒに独立して電気的に接続される。
【００２５】
なお、上述したＬＥＤチップ３６の種類や数は、読み取る原稿Ｐなどに応じて変更することができる。例えば、赤外の発光波長を有するＬＥＤチップに代えて紫外の発光波長を有するＬＥＤチップにしたり、紫外の発光波長を有するＬＥＤチップを追加したりしてもよい。
また、第１の光源３１のＬＥＤモジュール３３と第２の光源３２のＬＥＤモジュール３３は、同一のＬＥＤチップ３６の組合せに限られず、異なるＬＥＤチップ３６の組み合わせにしてもよい。異なるＬＥＤチップ３６の組み合わせとは、第１の光源３１のＬＥＤモジュール３３には例えば緑、青の発光波長を有するＬＥＤチップ３６ｇ、３６ｂを配置し、第２の光源３２のＬＥＤモジュール３３には例えば赤および赤外の発光波長を有するＬＥＤチップ３６ｒ、３６ｉｒを配置する場合などを意味する。
【００２６】
カバー部材４１は、フレーム２１内に紙片や異物が侵入するのを防止する。カバー部材４１は、フレーム２１の上端に例えば両面テープや接着剤などを用いて固定することで、フレーム２１を上方向、すなわち原稿Ｐ側から覆う。カバー部材４１は、主走査方向を長手方向とする略平板状であって、導光体２５の光出射面２８から出射された光が原稿Ｐに向かって透過される材質、具体的にはガラスやアクリル樹脂などにより形成されている。
なお、以下では、説明を容易にするために、カバー部材４１のうち、図３に示すＡ部を一方の長端部、Ｂ部を他方の長端部、Ｃ部を一方の短端部、Ｄ部を他方の短端部というものとする。
【００２７】
カバー部材４１は、一方の長端部側であって下面にコネクタ５１が結合されている。コネクタ５１は、例えばイメージセンサユニット６０から光源ユニット２０のＬＥＤチップ３６に電力を供給するためのケーブルを接続するためのものである。カバー部材４１がフレーム２１の上端に固定された状態では、コネクタ５１はフレーム２１の切欠部２２に嵌め込まれる。
【００２８】
ここで、本実施形態の光源ユニット２０は小型化を図るために、カバー部材４１の下面にＬＥＤチップ３６を導通させるための導通部４２を設けている。
図１は、カバー部材４１の下面の構成を示す斜視図である。図１に示すように、本実施形態の導通部４２は、カバー部材４１の下面の略全面に亘って形成されている。また、図１に示すように、カバー部材４１の下面に結合されるコネクタ５１は複数の接続端子５２ａ〜５２ｉを有し、カバー部材４１の一方の長端部側かつ下面に形成された、導通部４２の各接点と接合されている。
【００２９】
具体的には、導通部４２は、コモン導通部４３、第１の光源３１側のＬＥＤチップ３６を導通させるための第１群の導通部４４ａ〜４４ｄ、第２の光源３２側のＬＥＤチップ３６を導通させるための第２群の導通部４６ａ〜４６ｄを有している。
コモン導通部４３は、コネクタ５１の接続端子５２ｅが接合される接点から、他方の長端部側に向かって副走査方向に延出する延出部４３ａと、延出部４３ａから一方の短端部側および他方の短端部側に延出して形成される幅広部４３ｂとを有している。幅広部４３ｂは、他方の長端部側に偏倚した位置で、一方の短端部側から他方の短端部側に亘って主走査方向に沿って形成される。幅広部４３ｂは他の導通部４２と比較して幅広に形成され、本実施形態ではカバー部材４１の幅寸法（図１に示すＷｃ）に対して略１／２の幅寸法を有している。また、幅広部４３ｂは、幅方向における中央に主走査方向に沿ったスリット４３ｃが形成される。スリット４３ｃの主走査方向の長さは、読み取る原稿Ｐの主走査方向の寸法よりも長く形成される。また、幅広部４３ｂのうち、一方の短端部側および他方の短端部側には、接点４３ｄ、４３ｅが形成される。後述するように、接点４３ｄには第１の光源３１のＬＥＤモジュール３３のコモン端子３７ａが接合され、接点４３ｅには第２の光源３２のＬＥＤモジュール３３のコモン端子３７ａが接合される。
【００３０】
第１群の導通部４４ａ〜４４ｄは、コネクタ５１の接続端子５２ａ〜５２ｄが接合される接点から、それぞれ一方の長端部に向かって延出されて、屈曲された後に接点４５ａ〜４５ｄが形成されている。図１に示すように、一方の短端部側に形成される接点４３ｄ、４５ａ〜４５ｄは副走査方向に沿って直線状に配置され、隣り合う接点同士は所定の間隔を有している。接点４５ａ〜４５ｄにはそれぞれ第１の光源３１のＬＥＤモジュール３３の独立端子３７ｂ〜３７ｅが接合される。
【００３１】
第２群の導通部４６ａ〜４６ｄは、コネクタ５１の接続端子５２ｆ〜５２ｉが接合される接点から、それぞれ他方の長端部に向かって延出されて、屈曲された後に接点４７ａ〜４７ｄが形成されている。図１に示すように、他方の短端部側に形成される接点４３ｅ、４７ａ〜４７ｄは副走査方向に沿って直線状に配置され、隣り合う接点同士は所定の間隔を有している。接点４７ａ〜４７ｄにはそれぞれ第２の光源３２のＬＥＤモジュール３３の独立端子３７ｂ〜３７ｅが接合される。
【００３２】
本実施形態の導通部４２は第１の光源３１および第２の光源３２から発光される光を透過させない材質により形成されている。加えて、導通部４２は光を吸収できる材質を含んで形成されている。具体的には、導通部４２は、光を吸収する色素を混合した導通性を有するシリコーン樹脂や光を吸収する色素を混合した導通性を有するテープなどを用いることができる。導通部４２は、カバー部材４１の下面に対して接着剤などを用いて接着される。
【００３３】
なお、光源ユニット２０の小型化を図ることを主な目的とする場合には、カバー部材４１に導通部４２を形成することでその目的を達成できるために、導通部４２は光を透過させる材質を用いてもよく、光を反射させる材質を用いてもよい。例えば、光を反射させる材質として、金属配線をカバー部材４１の下面に施してもよい。金属配線を施す方法として、例えば、以下のような方法を用いることができる。
第１の方法として、カバー部材４１の下面に金属めっきを形成することで、金属めっきを金属配線として機能させる。
第２の方法として、カバー部材４１の下面に半田付けすることで、半田自体を金属配線として機能させる。
第３の方法として、カバー部材４１の下面に金属配線としてのリード線を半田付けする。
第４の方法として、カバー部材４１の下面に金属配線としてのリード線をシリコーン樹脂で固定する。
光を反射させる材質を用いることで、導通部４２により遮光された光を導光体２５側に反射させて再度、導光体２５内に入射させることができる。導光体２５内に入射された光は内部で拡散することで光出射面２８から出射され、スリット４３ｃを通して原稿Ｐに照射される。したがって、光出射面２８から照射される光量を増やすことができる。
【００３４】
次に、光源ユニット２０を組み付けたときの構成部材の設置状態について説明する。
光源ユニット２０が組み付けられた場合には、図３に示すように、導光体２５の主走査方向における両端面に第１の光源３１および第２の光源３２が配置される。具体的には、導光体２５の第１の入射面２６には第１の光源３１の発光面３５が所定の間隔をあけて対面し、導光体２５の第２の入射面２７には第２の光源３２の発光面３５が所定の間隔をあけて対面する。このとき、図４および図５の二点鎖線で示すように、導光体２５は主走査方向から見て各入射面２６、２７の領域内にＬＥＤチップ３６が収まる位置でフレーム２１により保持される。
また、第１の光源３１および第２の光源３２は、ＬＥＤモジュール３３のリード端子３７が支持体３４からカバー部材４１側に向かって突出する向きでフレーム２１により保持される。
【００３５】
カバー部材４１がフレーム２１に固定された状態では、上述したようにカバー部材４１の下面に形成された導通部４２の接点４３ｄ、４５ａ〜４５ｄに、それぞれ第１の光源３１のＬＥＤモジュール３３のコモン端子３７ａ、独立端子３７ｂ〜３７ｅが接合され、導通部４２の接点４３ｅ、４７ａ〜４７ｄに、それぞれ第２の光源３２のＬＥＤモジュール３３のコモン端子３７ａ、独立端子３７ｂ〜３７ｅが接合される。接点と端子とは、例えば半田付けにより接合することができる。
また、カバー部材４１がフレーム２１に固定された状態では、導光体２５の光出射面２８から光が出射される方向、すなわち光出射面２８の上側には導通部４２における幅広部４３ｂが位置している。
【００３６】
このように構成される光源ユニット２０によれば、ＬＥＤチップ３６を発光させるための電力はカバー部材４１の下面に設けられた導通部４２を介して供給される。すなわち、カバー部材４１の下面に回路パターンとして機能する導通部４２を設けたことにより、ＬＥＤチップを電気的に接続させるための回路基板を省略することができ、光源ユニット２０の小型化を図ることができる。具体的には、本実施形態の光源ユニット２０によれば省略した回路基板の厚み分だけ上下方向の寸法を薄くすることができる。
【００３７】
次に、光源ユニット２０が原稿Ｐの下面に対して透過読み取り用の光を照射するときの導通部４２の作用について説明する。光源ユニット２０では、導通部４２を介して供給される電力に応じて第１の光源３１および第２の光源３２のＬＥＤモジュール３３のＬＥＤチップ３６ｒ、３６ｇ、３６ｂ、３６ｉｒが順次、発光する。ＬＥＤチップ３６ｒ、３６ｇ、３６ｂ、３６ｉｒからの光は、導光体２５の入射面２６、２７から入射された後、光出射面２８から原稿Ｐに向かって出射される。
【００３８】
ここで、光出射面２８から光が出射する方向にはカバー部材４１の下面に形成された導通部４２の幅広部４３ｃが位置している。導通部４２は光を透過させない材質であるものの、幅広部４３ｃには長手方向に沿ったスリット４３ｃが形成されている。したがって、光出射面２８から出射された光は幅広部４３ｂのスリット４３ｃを通して原稿Ｐに照射される。このとき、導通部４２のスリット４３ｃを通して光源ユニット２０から光を出射させることで、光源ユニット２０から照射される光の方向を所望する方向、ここでは原稿Ｐの読取ラインＳに指向させることができる。換言すると、光源ユニット２０から照射させたくない方向の光を導通部４２の幅広部４３ｃにより遮光することができる。
【００３９】
また、光源ユニット２０に入射される外乱光は、導光体２５に入射されて迷光になり画像の読み取り精度を低下させる場合がある。本実施形態の導通部４２は、外乱光が導光体２５に入射されるのを防止することができる。すなわち、光源ユニット２０に入射される外乱光を導通部４２の幅広部４３ｃにより遮光することができる。
このように導通部４２は一部の光を遮光する遮光部材としても機能することから、別部材で遮光部材を追加する必要がないために、光源ユニット２０の部品点数を削減でき、製造コストを低減することができる。
【００４０】
また、導通部４２は光を吸収できる材質を含んで形成されていることから、導通部４２で遮光した際に導通部４２による光の反射を抑制することができる。このように、導通部４２で光が反射されることを抑制することで反射された光が迷光になり画像の読み取り精度が低下することを防止することができる。
【００４１】
以上、本発明の好ましい実施形態について説明したが、本発明は上述した実施形態に限定されず、その要旨の範囲内で種々の変形および変更が可能である。
上述した実施形態では、原稿Ｐを挟んで下側に光源ユニット２０を配置し、上側にイメージセンサユニット６０を配置する場合について説明したが、上下を入れ替えて配置してもよい。
また、光源ユニット２０とイメージセンサユニット６０との組み合わせを更に一組、副走査方向に隣接して配置してもよい。この場合、隣接する光源ユニット２０とイメージセンサユニット６０とは、上下を入れ替えて配置することで、一度の搬送で原稿Ｐの表裏面の画像を読み取ることができる。
【００４２】
また、上述した実施形態では、導光体２５の長手方向の両端面に光源３１、３２を設置する場合について説明したが、この場合に限られず、導光体２５の一方の端面にのみ光源を配置してもよい。例えば、第１の光源３１のみを配置した場合には、カバー部材４１の下面に設けた導通部４２のうち第２の光源３２側のＬＥＤチップ３６を導通させるための第２群の導通部４６ａ〜４６ｄを省略することができる。
【００４３】
また、上述した実施形態では、導通部４２のうちコモン導通部４３にスリット４３ｃを形成する場合について説明したが、この場合に限られない。例えば、第１群の導通部４４ａ〜４４ｄ、第２群の導通部４６ａ〜４６ｄのうち何れかの導通部に幅広部を形成し、幅広部の中央にスリットを形成してもよい。また、導通部と導通部との間をスリットとして形成してもよい。
【符号の説明】
【００４４】
２０：光源ユニット（照明装置）  ２１：フレーム（筐体）  ２５：導光体  ３１：第１の光源  ３２：第２の光源  ３４：支持体  ３７：リード端子  ３６：ＬＥＤチップ（発光素子）  ４１：カバー部材  ４２：導通部  ４３ｃ：スリット  ５１：コネクタ  ６０：イメージセンサユニット  ６４：イメージセンサ  １００：紙葉類識別装置  １０１ａ、１０１ｂ、１０２ａ、１０２ｂ：搬送ローラ（搬送手段）  １０３：比較部（比較手段）  １０４：記憶部（記憶手段）
【図１】
2015171033.tif 000003
【図２】
2015171033.tif 000004
【図３】
2015171033.tif 000005
【図４】
2015171033.tif 000006
【図５】
2015171033.tif 000007